(57)【要約】      （修正有）【課題】脊柱や骨盤が湾曲したり、背中や臀部の筋肉や脂肪が落ちたり、既に褥瘡を発症したりした着座者が、心地よく安定して座り、休息することができ、長時間使用しても、痛みや褥瘡を発症させず、症状の改善ができ、しかも、着座者の動作性を損なわない、汎用性と経済性を備えた、福祉用椅子の背もたれおよび着座部、および、椅子用後付アタッチメントを提供する。【解決手段】背もたれ８と着座部３および椅子本体２などからなる椅子において、背もたれ８は、その前面に凹部９ｄを有する背もたれ本体９と背もたれパッド１０およびヘッドレスト１１からなり、背もたれパッド１０とヘッドレスト１１は、着脱および位置変えが自在であり、着座部３は、その上面に通気溝を備えてなる、凹部４ｄを有するシートフレーム４と、抜き部を有するシートクッション５からなり、シートクッション５は、前記シートフレーム４の上面に、着脱自在に載置してなる。【選択図】図１
2008110096.tif 000002
【特許請求の範囲】
【請求項１】
背もたれと着座部および椅子本体などからなる椅子において、
背もたれは、その前面に背中などが嵌り込む十分大きく深い凹部を有する背もたれ本体と、背もたれパッドおよびヘッドレストからなり、該凹部の下方左右側部に取り付けた背もたれパッドと、背もたれ本体上方に該本体を横断して取り付けたヘッドレストは、着脱および位置変えが自在であり、着座部は、その上面に、通気溝を備えてなる、臀部が嵌り込む十分大きく深い凹部を有するシートフレームと、前部が厚く後部が薄い、抜き部を有するシートクッションからなり、シートクッションは、前記シートフレームの上面に、着脱自在に載置してなることを特徴とする福祉用椅子の背もたれおよび着座部。
【請求項２】
前記背もたれ本体は、その背面下方に着脱、位置変え自在に取り付けたスペーサーを挟み、背もたれ支持板に、前記シートフレームは、シートフレーム支持板に、それぞれ着脱、自在に取り付け、背もたれの角度と着座部の位置は変更自在であることを特徴とする請求項１に記載の福祉用椅子の背もたれおよび着座部
【請求項３】
前記背もたれ本体の凹部は、その縦、横断面が、曲がった背中と腰部を模して、台形または半楕円状を呈し、背部下方後側面および腰部後側面を、背もたれパッドで、斜めから差し込むように支持された背中や腰部が、隙間を空けて嵌り込むに十分な凹部であり、シートフレーム上面の、通気溝を備えてなる凹部は、該シートフレームの後部に向って突き出す凸字状を呈し、その外縁から底部に向ってすぼまり落ち込む凹部であり、臀部下部（坐骨結節、尾骨、仙骨下部）が、シートクッションの一部とともにその底部や底部周辺に当接することなく嵌り込み、かつ、臀部上部（腸骨と仙骨上部）が該シートクッションを挟み、該凹部の上縁に嵌り込んで当接するに十分な凹部であり、前記シートクッションの抜き部は、クッション心材の上下面に貫通する抜き穴と該抜き穴に連続する抜き溝からなり、抜き穴は着座姿勢において、坐骨結節と尾骨および仙骨下部を結んで出来る多角形を取り囲む穴であり、抜き溝は前記抜き穴から該心材の対角外方に伸びる溝であることを特徴とする請求項１に記載の福祉用椅子の背もたれおよび着座部。
【請求項４】
前記背もたれ本体は、該背もたれ本体凹部の下方左右側部および上方の両外縁に、マジックテープ（メス）を、背もたれパッドおよびヘッドレストは、その背面にマジックテープ（オス）をそれぞれ有し、前記シートクッションは、該シートクッション下面の前、後部に前記抜き部を挟んでマジックテープ（オス）を、前記シートフレームは、シートフレーム上面の前、後部に前記凹部を挟んでマジックテープ（メス）を有し、これらマジックテープによって、それぞれ着脱が自在であることを特徴とする請求項１および３に記載の福祉用椅子の背もたれおよび着座部。（前記及び以下に使用する「マジックテープ」は商標である）
【請求項５】
前記背もたれ本体において、背もたれ本体凹部の下方左右側部および上方の両外縁に取り付けたマジックテープ（メス）は十分広く、背もたれパッドおよびヘッドレストの位置変えは自在であることを特徴とする請求項１および３、４に記載の福祉用椅子の背もたれおよび着座部。
【請求項６】
前記背もたれ本体は、その左右両側面上下にマジックテープ（オス）を、背面下方両外縁に十分広いマジックテープ（メス）を有し、背もたれ取り付けバンドは、その一面両端にマジックテープ（メス）を有してなり、スペーサーは、その背面にマジックテープ（オス）を有してなる。また、シートフレームは、その下面の前、後部にマジックテープ（オス）を有し、シートフレーム支持板はその上面の前、後部に、十分広いマジックテープ（メス）を有し、これらマジックテープによって、それぞれ着脱が自在であり、前記マジックテープ（メス）が十分広いので、スペーサーとシートフレームの位置変えが自在であり、これにより、背もたれの角度と着座部の位置は変更自在であることを特徴とする請求項１ないし５のいずれか１項に記載の福祉用椅子の背もたれおよび着座部
【請求項７】
前記背もたれにおいて、背もたれ本体は、その背面を板状の補強材で補強した硬質発泡ウレタンなどからなる厚板状の背もたれ本体心材を外皮で一体的に包んでなり、背もたれパッドは、軟質発泡ウレタンなどからなるブロック状のパッド本体を外皮で包んでなり、ヘッドレストは、板状の補強材と硬質発泡ウレタンなどからなるヘッドレスト心材および軟質発泡ウレタンなどからなるクッション材で構成された積層材を外皮で包んでなり、前記着座部において、シートフレームは、その底面を、板状の補強材で補強した厚板状の硬質発泡ウレタンなどからなるシートフレーム心材を外皮で一体的に包んでなり、シートクッションは、その底面を、シートフレームの凹部を囲むように切り抜いた額縁状の補強材で補強した、横断面が踏み台状の、軟質発泡ウレタンなどからなるクッション心材を外皮で包んでなることを特徴とする請求項１ないし６のいずれか１項に記載の福祉用椅子の背もたれおよび着座部。
【請求項８】
前記背もたれ本体およびシートフレームにおいて、背もたれ本体心材およびシートフレーム心材は、それぞれの凹部および補強材とともに、注入発泡による一体成型で同時成形されてなることを特徴とする請求項１ないし７のいずれか１項に記載の福祉用椅子の背もたれおよび着座部
【請求項９】
前記背もたれ本体、背もたれパッド、ヘッドレスト、シートクッションおよびシートフレームの外皮材料は、通気性と伸縮性を有し、このうち少なくともシートクッションの外皮材料は、抗菌および撥水加工をしてなることを特徴とする請求項１ないし８のいずれか１項に記載の福祉用椅子の背もたれおよび着座部
【請求項１０】
前記請求項１ないし９のいずれか１項に記載の福祉用椅子の背もたれおよび着座部を備えることを特徴とする椅子用後付アタッチメント
【発明の詳細な説明】
【技術分野】
【０００１】
本発明は、脊柱や骨盤が湾曲したり、背中や臀部の筋肉や脂肪が落ちたり、既に褥瘡を発症したりした着座者が用いる、福祉用椅子の背もたれと着座部、および、椅子用後付アタッチメントに関する。
【背景技術】
【０００２】
一般的な椅子や座椅子、更には車椅子や起立補助椅子などの椅子に長時間座っていると、健康な者であっても臀部や背中が痛くなるものであるが、脊柱や骨盤が湾曲したり、背中や臀部の筋肉や脂肪が落ちたり、既に褥瘡を発症したりした人にとっては、椅子に座ること自体が、更なる痛みや褥瘡の発症、悪化、脊柱や骨盤の湾曲助長の原因となりうる。
【０００３】
すなわち、図１７に示すように、脊柱や骨盤が湾曲したり、背中や臀部の筋肉や脂肪が落ちたり、既に褥瘡を発症したりした着座者が普通の椅子に座ると、脊柱の湾曲頂部は背もたれによって矢印Ａのように押される。しかし、筋肉が落ちた着座者はこの力に抗せないので、ますます前屈みになり、内臓を圧迫され、息苦しくさせられる。そこで着座者は、仕方なく、臀部を着座部の前方に移動し、例えば図１９（ａ）のようなすべり座りの姿勢をとることになる。しかし、着座者の脊柱は湾曲しているので、この着座姿勢では、背中と背もたれとは点当たりであり、身体がローリングし易く、しかも、浅掛けであるので、ずり落ちたりもする、極めて不安定な着座姿勢である。そこで、安定を得るために、着座者は、足を踏ん張り、背中や臀部を椅子に強く押し付けざるをえない。しかし、これが、椅子からの反発を強める原因となり、背もたれはもとより、着座部からも、矢印Ｂのような、体圧以上の反発力を受けることとなる。
【０００４】
これら椅子からの反発力は全て、筋肉や脂肪が落ちて、骨の浮き出た脊柱の湾曲頂部や突起した骨（坐骨結節、尾骨、仙骨下部）からなる臀部下部が受圧するのであるが、クッションが内蔵されているとは言え、背もたれや着座部の当接面は平面であり、点当りになるので、圧力は当接部に集中し、痛みの原因となる。そこで、着座者は、当接部を庇おうと、すべり座りの姿勢をますます深くし、不安定さと増圧との悪循環に陥ることになる。
【０００５】
高い圧力の発生部位は、前述のように、着座姿勢において、筋肉や脂肪が本来的に少なく、突起した骨が直接体圧を支持するような部位である。背筋が伸び、背中や臀部に十分な筋肉や脂肪が付いている着座者の場合、体圧は分散されるので問題にはならない。しかし、図１７に示すような着座者にとって、集中してかかる体圧は、脊柱の湾曲頂部や臀部下部（坐骨結節、尾骨、仙骨下部）への耐え難いストレスとなる。高圧力が、薄くなった筋肉や脂肪、皮膚に力学的な痛みや損傷を与えるとともに、血管を圧迫して血流を阻害するからである。また、当接部は、発汗や湿気の蒸発が阻害されるので、皮膚の湿潤化という問題も発生する。褥瘡は、皮膚組織が、血流の停滞と湿潤下に長時間にわたって曝された時、擦れによって発症するので、椅子に座ること自体が痛みや褥瘡の原因となりかねないのである。
【０００６】
なお、図１８は、腸骨や仙骨、坐骨結節や尾骨からなる骨盤の前面図であるが、椅子に座った人の体圧分布を見ると、左右二つの坐骨結節を中心に高い圧力分布が見られ、体形や着座姿勢、着座部の構成によっては、尾骨や仙骨下部にも、また、背中にも高圧部が出現し、かかる部位に圧痛や褥瘡が発症し易い。
【０００７】
そこで、圧痛や褥瘡発症を防ぐために、当接部にかかる圧力を分散、軽減し、かつ、同一部位への圧迫を短時間に止め、皮膚を乾燥させる事が大事であり、そのために、着座姿勢を頻繁に変え、支持位置を変える事が大事である。因みに、（財）保健福祉広報協会のホームページによれば、車椅子を使用する米国の高齢者は、１時間おきにベッドに戻るか、１５分おきに臀部を座面から上げるよう、指導されているという。
【０００８】
図１９は、同じく、（財）保健福祉広報協会のホームページに開示された、スリングシートでおこりやすい、望ましくない座り方を示す図である。図１９（ａ）は、座骨結節が前方に移動し骨盤が後傾するいわゆる「すべり座り」の状態を示す図である。すべり座りは、高齢者に特に多く見られる座り方であり、この場合、座骨結節に加え、尾骨や仙骨下部に高圧力が発生する。また、図１９（ｂ）は、骨盤が傾斜する座り方であり、この場合には、左右どちらか一方に圧力が集中する。さらに、図１９（ｃ）は、骨盤が回旋する座り方であり、この場合にも、圧力が集中する。ところがこれらの座り方は、スリングシートに座った時だけおこるのではなく、背中や腹部、臀部の筋肉や脂肪が落ちた着座者の場合、脊柱や骨盤の湾曲として、変形が固定されていることが多い。
【０００９】
故に、脊柱や骨盤が湾曲したり、背中や臀部の筋肉や脂肪が落ちたり、既に褥瘡を発症したりした着座者が快適に座る為に、椅子は、着座者の身体をしっかりと支えるものでなければならない。すなわち、椅子は、着座者の体格や体形、着座姿勢に対応して変化し、臀部や大腿部、背中、首、頭をきちんと支えることのできるものでなければならない。また、座るということは、身体に力学的なストレスを加えるに留まらず、皮膚環境や内臓環境などに悪影響を与えかねないので、これについても対応できるものでなければならない。
【００１０】
このことから、痛みや褥瘡の主たる原因である体圧を減じ、皮膚環境を改善できるとする、背もたれや着座部について、例えば、特許文献１〜８のような発明がなされており、リクライニング椅子などの開発もなされている。まず、特許文献１について述べる。公報の記載によれば、特許文献１は、「椅子の座部やマットレスで臀部などを支える部分において、クッションの反発力を位置によって急変させずに体圧を分散させることによって、長時間利用しても身体が痛くならないクッション構造、それを座部に備えた車椅子やマットレスを提供すること」を目的に、座クッション構造や同クッションを適用した車椅子を開示している。
【００１１】
図２０は同提案になる車椅子の座部に用いた座クッションの斜視図であり、図２１は図２０に示す座クッションの左半分の分解図で、同座クッションは、「小さな反発力をもって臀部を支える第１のクッション材７４と、このクッション材よりも大きな反発力をもって大腿部の側を支える第２のクッション材７５、およびその周囲で大きな反発力を有する第３および第４のクッション材７６、７７は、それらの接合部分において双方のクッション材が上下に重なり合うように斜めに接合されている。第１および第２のクッション材７４、７５は、その上層側に第１のクッション材７４よりも大きな反発力をもつ薄い上層側クッション７３を有し、下層側には第１のクッション材７４よりも大きな反発力をもつ下層側クッション７１を有している。」
【００１２】
したがって、「反発力の異なるクッション材が、上下に重なり合うように斜めに接合されているので、この部分で、クッションの反発力の急激な変化を少なくすることができる。それ故、体圧は、接合部分でも局部に集中しないので、長時間利用しても身体が痛くならない。また、クッションの面方向において反発力を最適な状態に連続的に変化させており、かかるクッション構造を備えた座部では、臀部全体をクッション材で支えるため、上体を安定に保持できる。」旨、記載されている。
【００１３】
次に、特許文献２について述べる。図２２は、特許文献２として公報で開示された座位保持クッションの要部斜視図で、同クッションは、「底面５１は、クッション性のある平板であって、底面中央部に座骨穴５２、５３と前部中程に土手状に隆起した股間壁５４を設ける。そして、後部から両サイドにかけて馬蹄形の階段状になった殿部堤５５を設けたもの」であり、上記構成により、「座位姿勢において、座骨の安定を可能にし、大腿骨頭の内転と骨盤の後傾を低減させ脊柱Ｒ状を抑制することで、上体や腰椎にかかる負担と内臓の圧迫が軽減できる。」旨、記載されている。
【００１４】
また、同文献には、「座位保持クッションは、合成ゴム、ウレタンゴム、ポリエチレン等樹脂系の発泡体の素材を用いて全体を一体成型したものである。」旨、および「階段状になった殿部堤５５は、殿部周辺の形状と座面の体圧分布とを参考に馬蹄形に成型し、クッションの反発力を増す目的で堤を階段状にしたものである。」旨、記載されている。
【００１５】
次に、特許文献３について述べる。図２３は、特許文献３として公報で開示されたクッション材の断面図で、同クッション材は、「使用者の体重を集中的に受け止める着座部を一部に備えたクッション材において、前記着座部は第１のクッション体、第２のクッション体及び第３のクッション体を厚さ方向に順に積層して構成され、前記第１のクッション体は第２のクッション体よりも硬度は低く厚さは着座部における第２のクッション体の厚さよりも厚くされ、前記第３のクッション体は第２のクッション体よりも硬度は高く厚さは着座部における第２のクッション体の厚さよりも薄くされていることを特徴とするクッション材。」である。この構成により、「クッション材の全体の厚みを一定範囲内に抑えるという条件下で、使用者の体重の上下幅が大きくなっても、底上げ感及び底付き感のない心地よい使用感を与えることができる。また、第２のクッション体の幅方向に第１のクッションを着脱可能に保持する凹部を形成すれば、使用者の体形や好みに応じて第１のクッション体を交換することが簡単に行える。」旨、記載されている。
【００１６】
つぎに、特許文献４について述べる。図２４は、特許文献４として公報で開示された座椅子上に載せ置きしたクッションシートの斜視図で、８１は腰掛け面、８２は背当て面、８３はクッションシート、８４は褥瘡用空間部、８５は背骨用空間部、８７は座椅子であるが、同クッションシートは、「腰掛け面と該腰掛け面の後端に続く背当て面とよりなるクッションシートであって、前記腰掛け面の後端部中央に腰掛者の尾底骨周辺，褥瘡部分をさけて当らないようにした空間部を設け、且つ前記背当て面の中央部縦全長に背骨部分をさけて当らないようにした空間部を設けたことを特徴とする褥瘡や脊柱側弯症の人のためのクッションシート。」であり、上記構成によれば、「褥瘡部分や曲がったり突出したりした背骨が当らないようにした各空間部を設けたので、腰掛者は座位やベッドでの上体起こし、車椅子や乗物による移動などを苦痛を伴うことなく長時間快適に過ごすことができるという効果を生ずる。」旨、記載されている。
【００１７】
次に、特許文献５について述べる。図２５は、特許文献５として公報で開示されたシートクッションで、（ａ）図はその斜視図、（ｂ）図はシートクッションと骨格との関係を示す図で、５６はシート板、５７は凹所、５８はフィルムであるが、同シートクッションは、「弾力材料によって形成されたシート板５６の後縁部に、着座状態において坐骨が収容される凹所５７を設け、坐骨部分への体圧の集中を抑制し、体圧が平坦な臀部や大腿部に分散するので、臀部が痛くなりにくい。」旨、記載されている。
【００１８】
次に、特許文献６について述べる。図２６は、特許文献６として公報で開示された褥瘡マットで、１ａは直方体状のゲル体、２ａはその表面全体を覆うカバー材で図ではその一部を切り欠いて示してあり、３ａはカバー材のシール部であるが、同褥創予防マットは、「ゲル体中に封じ込まれた気泡によりゲル体全体の柔軟性が増加するため、同一の柔軟性にする場合にゲル体自体の架橋密度を大きくすることができ、その結果、ゲル体の分離を生じることがなくなり型くずれせず、良好な体圧分散効果を得ることができ、さらに比重がほぼ１又はそれ以上のゲル体の一部を気泡で置換することによりゲル体の重量が軽減され、マットの操作性もよくなるという効果が得られる」旨、記載されている。
【００１９】
次に、特許文献７について述べる。図２７は特許文献７として公報で開示された座部システムで、「座部システム(2b)は、上面(8b)を備えたベース部材(6b)と、上面(8b)の上に置かれる流体パッド(7b)とを有する。上面(8b)は、転子を含むユーザの大腿骨と共に、ユーザの坐骨の粗面および尾骨に対応する領域(12b、14b、16b)を有するように輪郭付けられ且つ寸法取りされているのが好ましい。好ましい実施例での流体パッド(7b)は、単一品であり、且つ、流体を充填した少なくとも３つの個々別々のポーチ(1b、3b、5b)を有する。各ポーチは、その中に流体を収納するために且つ他の２つのポーチの中の流体との連通を阻止して隔離するためにシールを有する。パッド(7b)の各ポーチは、ベース部材(6b)の上面(8b)の上に、ユーザの坐骨の粗面および尾骨の下になるように夫々位置決めされる。これにより、ユーザの坐骨の粗面および尾骨は、それ自身の個々独立した流体ポーチで支えられる。」旨記載され、また、「かかる構成により、各ポーチの中の流体の量を適当に調整することによって、ユーザの坐骨の粗面及び尾骨の支持圧を、所望のように実質的に等しく又は異なるようにすることができる。」旨、記載されている。
【００２０】
次に、特許文献８について述べる。図２８は特許文献８として公報で開示された椅子用クッションで、「反発性が小さい材料からなり臀部を支える緩衝部２と、臀部後方において少なくとも仙骨，尾骨および座骨結節部を除く両大殿筋部を支持する臀部支持部３ａと、大腿支持部３ｂとを有し、かつ他の材料に比較して最も反発性が大きい材料からなる支持部３と、中央部に前記緩衝部２を嵌入する穴または溝４ａを有し、前記支持部３より反発性が小さいか又は同等の材料からなり、少なくともその一部は前記支持部の下方にあってかつ実質的に座部全域にわたって配設され、座圧力を座部全域に分散する座圧力分散追従部４とを備える。」ので、「本発明によれば、着座姿勢や臀部形状の個人差にかかわらず、高い圧力や極端な圧力集中の発生を抑制可能とし、座り心地が良く、また、長時間使用しても褥瘡発生が抑制可能な椅子用クッションおよび同クッションを備える車椅子を提供することができる。」旨、記載されている。
【００２１】
【特許文献１】特開平９−５１９１８号公報
【特許文献２】特開平８−１４０７８４号公報
【特許文献３】特開２００２−１６５６７６号公報
【特許文献４】実用新案登録第３０９２０２９号公報
【特許文献５】特開２００３−３９４号公報
【特許文献６】実用新案登録２０４４２０３
【特許文献７】特表２０００−５１３５９１号公報
【特許文献８】特開２００６−２００号公報
【発明の開示】
【発明が解決しようとする課題】
【００２２】
ところで、前記特許文献１〜８に開示された従来の椅子用クッションは、福祉用椅子の背もたれや着座部に求められる課題の一部に応えることのできる構成を備えてはいるものの、下記のような問題があった。個々の問題点を述べるに当たり、福祉用椅子の背もたれや着座部が解決すべき課題と、その要点を整理すると、下記のとおりである。
【００２３】
課題（１）：着座者が、心地よく、安定して座り、休息することが出来る。
その為に、大腿部、臀部、腰部、背部、首、頭の要所をきちんと支えられる。
椅子を、着座者の体格や体形、着座姿勢に合わせられる。
課題（２）：長時間使用しても、痛みや褥瘡を発生させない。
その為に、皮膚環境（圧力、温度、湿度）を整えられる。
支持部位にかかる圧力を分散、軽減し、同一部位への圧迫を短時間に止められる。
褥瘡を発症しやすい部位を避けて支持できる。
皮膚を乾燥させられる。
課題（３）：症状の改善ができる。
その為に、褥瘡の発症原因を取り除ける。
背もたれおよび着座部と、その構成部品を、着脱、位置変えできる。
支持部位周辺の換気と、構成部品の清拭ができる。
課題（４）：着座者の動作性を損なわない。
その為に、無用な拘束をしない。
課題（５）：汎用性と経済性を備える。
その為に、多様な体格、体形、着座姿勢に対応できる。
既存の椅子に、そのまま適用できる。
耐久性があり、損耗部品は交換できる。
部品構造が単純で、安価に製作できる。
【００２４】
前記課題と要点に照らして、特許文献１〜８のクッションについて検討すると、個々の課題を個別に解決する構成、もしくは部分的に解決する構成は認められるものの、前記課題を総合的に解決する構成を備えるものはない。まず、特許文献１の場合、反発力の異なるクッション材が、上下に重なり合うように斜めに接合されているので、高い圧力や極端な圧力集中を抑制する効果の点では、優れた構成を備えていると言える。しかしながら、特許文献１の構成の場合、前述のように、「大腿部の側を支える第２のクッション材７５、およびその周囲で大きな反発力を有する第３および第４のクッション材７６、７７」は備えるものの、「臀部の背面部を支持する構成部材」はもちろんのこと、背中などの支持部材が存在しないので、前記課題（１）の達成はできない。
【００２５】
また、前記「臀部の背面部を支持する構成部材」に限定して従来技術をみると、特許文献２に当該構成部材が開示されている。即ち、特許文献２においては、前述のように、「階段状になった臀部堤５５は、臀部周辺の形状と座面の体圧分布とを参考に馬蹄形に成型し、クッションの反発力を増す目的で堤を階段状にしたものである。」旨の記載があり、一応、臀部の背面部を支持する構成部材が記載されている。しかしながら、特許文献２の前記馬蹄形臀部堤５５はとクッション性のある平板である底面５１は坐骨穴５２、３があるものの、あるが故に、前述の褥瘡発生の多い部位である仙骨や尾骨の圧迫を助長する構造であり、総合的問題解決はもとより、課題（２）の圧力集中の課題も解決されていない。
【００２６】
なお、臀部下部（坐骨結節、尾骨、仙骨下部）や脊柱の湾曲頂部に集中する圧力を軽減する構成については、特許文献４に、「腰掛者の尾底骨周辺、褥瘡部分をさけて当らないようにした空間部を設け、且つ前記背当て面の中央部縦全長に背骨部分をさけて当らないようにした空間部を設けた構成」が、さらに特許文献５に、「着座状態において坐骨が収容される凹所５７を設けた構成」が提案されている。これらはいずれも、臀部下部（坐骨結節、尾骨、仙骨下部）や脊柱の湾曲頂部への圧力集中を避けるものとして素晴しい発明であるが、常に同一部位が圧迫されることに変わりなく、しかも、大腿部や臀部、および腰部や背部、首や頭部について、支持位置を変えつつ、要所をきちんと支える構成が無いので、着座者に所謂「良い姿勢」や「一定の体形」を要求するものであり、総合的に見ると、課題（１）および（２）、（４）を残していると言わざるを得ない。
【００２７】
残る特許文献３、６および７の各発明も、圧力集中の抑制を目的とし、体圧分散効果や心地よい使用感をねらった発明であるが、いずれも、前記臀部の背面部を支持する構成などの開示はなく、構成も複雑で、総合的な解決策を有するものではない。最後の特許文献８は、特許文献１〜７の残した課題を解決すべく提案されたもので、臀部支持において優れた圧力分散効果を発揮し、先に述べた他の発明に比べて、最大圧力を小さくした実績を示している。しかし、構成を複雑にした割に大差はなく、これは、いかに反発性の低い材料を使おうとも、臀部全体がクッションに当接する限り、他部位より突出する臀部下部（坐骨結節、尾骨、仙骨下部）に、その周辺で、最も体圧がかかることに変わりないことを示している。しかも、本発明においては、臀部の側面や背面の支持部が低く、前述の特許文献４、５と同じく、腰部や背部、首や頭部に対する支持が無いため、着座者に所謂「良い姿勢」や「一定の体形」を要求する発明であり、脊柱や骨盤が湾曲したり、背中や臀部の筋肉や脂肪が落ちたり、既に褥瘡を発症したりした着座者には、採用しにくい発明と言わざるを得ない。
【００２８】
本発明は、上記のような諸問題に鑑みてなされたものであり、発明の課題は、脊柱や骨盤が湾曲したり、背中や臀部の筋肉や脂肪が落ちたり、既に褥瘡を発症したりした着座者が、心地よく安定して座り、休息することができ、長時間使用しても、痛みや褥瘡を発生させず、症状の改善ができ、しかも、着座者の動作性を損なわない、汎用性と経済性を備えた、福祉用椅子の背もたれおよび着座部、および、椅子用後付アタッチメントを提供することにある。
【課題を解決するための手段】
【００２９】
上述の課題を解決するため、本発明は、背もたれと着座部および椅子本体などからなる椅子において、背もたれは、その前面に背中などが嵌り込む十分大きく深い凹部を有する背もたれ本体と、背もたれパッドおよびヘッドレストからなり、該凹部の下方左右側部に取り付けた背もたれパッドと、背もたれ本体上方に該本体を横断して取り付けたヘッドレストは、着脱および位置変えが自在であり、着座部は、その上面に、通気溝を備えてなる、臀部が嵌り込む十分大きく深い凹部を有するシートフレームと、前部が厚く後部が薄い、抜き部を有するシートクッションからなり、シートクッションは、前記シートフレームの上面に、着脱自在に載置してなることを特徴とする（請求項１）。前記において、背もたれパッドは、左右一対、２個に限るものではなく、必要に応じて増減してよい。また、シートフレームの凹部の上縁各辺は、嵌り込む臀部上部（腸骨、仙骨上部）に合わせて、軽い弧を描き、かつＲ面取りなどを施してよい。
【００３０】
前記請求項１の発明によれば、背もたれは、背もたれ本体と背もたれパッドおよびヘッドレストからなり、背もたれパッドとヘッドレストは、着脱および位置変え自在であるから、背もたれパッドは、背中や腰部と前記凹部との間に隙間ができるように、背部下方後側面と腰部後側面とに、もしくはそのどちらか一方に、斜めから挟み込んで当接させ、該凹部の下方左右側部にセットする。ヘッドレストは、休息時に、着座者の後頭部下部もしくは後頚部を支持するように、背もたれ本体上方に該本体を横断してセットする。なお、圧迫されて褥瘡を発症しやすい脊柱の彎曲頂部は、前記凹部が十分大きく深いので、該凹部に当接することなく、隙間を空けて嵌り込む。
【００３１】
また、着座部は、シートフレームと、その上面に着脱自在に載置されたシートクッションからなるので、着座者の臀部は、シートクッション後部を挟んでシートフレームの凹部に嵌り込み、大腿部は、同クッションの前部に載るが、臀部上部（腸骨、仙骨上部）は、シートクッション後部を挟んでシートフレームの凹部に嵌り込んでその上縁に当接する。なお、圧迫されて褥瘡を発症しやすい臀部下部（坐骨結節、尾骨、仙骨下部）は、前記凹部が十分大きく深いので、該凹部に当接することなく、隙間を空けて嵌り込む。
【００３２】
かくして、体圧は、背もたれパッドに当接する背部下方後側面と腰部後側面の両方か、もしくは、そのどちらか一方と、シートフレームの凹部上縁に当接する臀部上部（腸骨、仙骨上部）と、シートクッション前部に載る大腿部下面で受圧する。更に、休息時には、ヘッドレストに当接する後頭部下部もしくは後頚部も加えて受圧する。なお、これら、体圧を受圧する支持部位は、平坦であり、体圧を分散して受圧するので、圧力は高くならず、しかも、同部位は、相対的に筋肉や脂肪が多く、圧迫の影響を受けにくい部位であるので、痛みや褥瘡の原因とならない。また、当然のことながら、脊柱の湾曲頂部始め、前記凹部に当接しない背中や腰部、臀部下部（坐骨結節、尾骨、仙骨下部）に、圧力は発生しない。また、背もたれパッドとヘッドレストは、着脱および位置変えが自在であるから、同一部位への圧迫が長時間に及ばぬよう、取り付け位置を変えることができ、着座者も、その着座姿勢を自由に変えることができる。
【００３３】
また、背もたれ本体の凹部に嵌り込んだ背中や腰部は、背もたれパッドに当接した背部下方後側面と腰部後側面の両方か、もしくは、そのどちらか一方を、斜めから支持され、シートフレームの凹部に嵌り込んだ臀部は、該凹部上縁に当接した臀部上部（腸骨、仙骨上部）を支持され、シートクッションの前部に載った大腿部は、その下面と両外側を支持されるので、着座者は、身体を前方や側方に押し出され、前後左右にローリングしたり、浅掛けになったりする、不安定な姿勢を強いられることはなく、安定した着座姿勢が得られる。また、ヘッドレストに後頭部下部もしくは後頚部を預け、もたれかかれば、上半身も更に安定し、心地よく休息することが出来る。
【００３４】
また、背中や腰部と背もたれ本体凹部との間、および、臀部下部（坐骨結節、尾骨、仙骨下部）とシートフレーム凹部との間には隙間が形成されており、更に、通気溝などが設けられており、これらが一体となって通気層を形成して換気するので、脊柱の湾曲頂部や臀部下部（坐骨結節、尾骨、仙骨下部）を含む前記支持部位周辺の温度や湿度の上昇を抑えることができる。
【００３５】
また、湾曲した背中は、背もたれ本体の凹部に嵌り込むので、図１７で示した普通の椅子に座った場合のように、背中が背もたれによって前のめりに押され、内臓を圧迫されるようなことはなく、背筋も伸ばせる。また、背もたれパッドは、背部下方後側面や腰部後側面を斜めから支持するので、腕や肩が束縛されず、上半身の自由度は高い。
【００３６】
また、背もたれパッドやヘッドレストは位置変え自在であるので、その取り付け位置は、着座者の体格や体形、着座姿勢に合わせて、変更できる。また、相対的に損耗し易いヘッドレスト、背もたれパッドおよびシートクッションは、着脱可能であるので、それだけ取り替えれば全体として長期間使用でき、耐久性を得られる。
【００３７】
また、請求項１とあいまって、上述の課題を解決するために本発明は、前記背もたれ本体は、その背面下方に着脱、位置変え自在に取り付けたスペーサーを挟み、背もたれ支持板に、前記シートフレームは、シートフレーム支持板に、それぞれ着脱、位置変え自在に取り付け、背もたれの角度と着座部の位置は変更自在であることを特徴とする（請求項２）。なお、前記において、背もたれ本体はマジックテープを有する背もたれ取り付けバンドによって、シートフレームは、マジックテープよって取り付けることが望ましい。
【００３８】
前記請求項２の発明によれば、背もたれの角度と着座部の位置は変更自在であるので、着座者の体格や体形、着座姿勢に合わせて、背もたれの角度と着座部の位置を変更できるので、着座者は無理な姿勢を強いられることがなく、心地よく安定して座れる。また、マジックテープを有する背もたれ取り付けバンドやマジックテープによって取り付ければ、変更が容易である。また、前記請求項１、２によれば、全体として単純な構成であるので、容易に製作でき、安価に、福祉用椅子の背もたれおよび着座部を提供できる。
【００３９】
前記請求項１の発明の実施態様としては、下記請求項３ないし５が、前期請求項２の発明の実施態様としては、下記請求項６の発明が好ましいが、これらの構成に限定されるものではない。また、前記請求項１、２および前記請求項３ないし６の各実施態様の作用効果や、前記実施態様とは異なるその他の実施態様（その他のバリエーション）については、後に詳述する。
【００４０】
まず、請求項１に記載の福祉用椅子の背もたれおよび着座部において、前記背もたれ本体の凹部は、その縦、横断面が、曲がった背中と腰部を模して、台形または半楕円状を呈し、背部下方後側面および腰部後側面を、背もたれパッドで、斜めから差し込むように支持された背中や腰部が、隙間を空けて嵌り込むに十分な凹部であり、シートフレーム上面の、通気溝を備えてなる凹部は、該シートフレームの後部に向って突き出す凸字状を呈し、その外縁から底部に向ってすぼまり落ち込む凹部であり、臀部下部（坐骨結節、尾骨、仙骨下部）が、シートクッションの一部とともにその底部や底部周辺に当接することなく嵌り込み、かつ、臀部上部（腸骨と仙骨上部）が該シートクッションを挟み、該凹部の上縁に嵌り込んで当接するに十分な凹部であり、前記シートクッションの抜き部は、クッション心材の上下面に貫通する抜き穴と該抜き穴に連続する抜き溝からなり、抜き穴は着座姿勢において、坐骨結節と尾骨および仙骨下部を結んで出来る多角形を取り囲む穴であり、抜き溝は前記抜き穴から該心材の対角外方に伸びる溝であることを特徴とする（請求項３）。
【００４１】
前記実施形態により、褥瘡を発症しやすい脊柱の湾曲頂部は、背部下方後側面と腰部後側面の両方か、もしくは、そのどちらか一方を、背もたれパッドで支えられ、背もたれ本体の凹部に当接することなく、隙間を空けて嵌り込むので、図１７に示した場合のように、背もたれによって押されることはなく、すべり座りなど、望ましくない姿勢を強いられることも、圧力を集中的に受けることもない。また、褥瘡を発症しやすい臀部下部（坐骨結節、尾骨、仙骨下部）は、シートクッションの抜き穴が坐骨結節と尾骨および仙骨下部を結んで出来る多角形を取り囲む穴であるから、クッション心材に当接することはなく、しかも、抜き溝が、抜き部周辺の変形抵抗を減ずるので、着座姿勢を少々変えても、集中的に高い圧力を受けることはない。
【００４２】
なお、背もたれ本体の凹部は、その縦、横断面が、曲がった背中と腰部を模して台形または半楕円状を呈するので、体格や体形が異なっても、背もたれパッドやヘッドレストを、着座者の背部下方後側面や腰部後側面に当接させ易く、位置変えし易い。また、シートフレーム上面の凹部は、外縁から底部に向ってすぼまり落ち込む凹部であるので、体格や体形が異なっても、問題なく嵌り込んで当接するので、着座者に無理な姿勢を強いることはない。
【００４３】
さらに、前記請求項１、３に記載の福祉用椅子の背もたれおよび着座部において、前記背もたれ本体は、該背もたれ本体凹部の下方左右側部および上方の両外縁に、マジックテープ（メス）を、背もたれパッドおよびヘッドレストは、その背面にマジックテープ（オス）をそれぞれ有し、前記シートクッションは、シートクッション下面の前、後部に前記抜き部を挟んでマジックテープ（オス）を、前記シートフレームは、シートフレーム上面の前、後部に前記凹部を挟んでマジックテープ（メス）を有し、これらマジックテープによって、それぞれ着脱が自在であることを特徴とする（請求項４）。さらにまた、前記１、３、４に記載の背もたれ本体において、背もたれ本体凹部の下方左右側部および上方の両外縁に取り付けたマジックテープ（メス）は十分広く、背もたれパッドおよびヘッドレストの位置変えが自在であることを特徴とする（請求項５）。
【００４４】
また、前期請求項１ないし５のいずれか１項に記載の福祉用椅子の背もたれおよび着座部において、前記背もたれ本体は、その背面下方に着脱、位置変え自在に取り付けたスペーサーを挟み、背もたれ取り付けバンドによって、背もたれ支持板に取り付け、シートフレームは、シートフレーム支持板にそのマジックテープによって取り付けるが、背もたれ本体は、その左右両側面上下にマジックテープ（オス）を、背面下方両外縁に十分広いマジックテープ（メス）を有し、背もたれ取り付けバンドは、その一面両端にマジックテープ（メス）を有してなり、スペーサーは、その背面にマジックテープ（オス）を有してなる。また、シートフレームは、その下面の前、後部にマジックテープ（オス）を有し、シートフレーム支持板はその上面の前、後部に、十分広いマジックテープ（メス）を有し、これらマジックテープによって、それぞれ着脱が自在であり、前記マジックテープ（メス）が十分広いので、スペーサーとシートフレームの位置変えが自在であり、これにより、背もたれの角度と着座部の位置は変更自在であることを特徴とする（請求項６）。前記実施形態により、体格や体形、着座姿勢に合わせて、構成部品の位置や背もたれの角度、着座部の位置を簡便に変えることができる。
【００４５】
また、前記請求項１ないし６のいずれか１項に記載の福祉用椅子の背もたれおよび着座部において、背もたれ本体は、その背面を板状の補強材で補強した硬質発泡ウレタンなどからなる厚板状の背もたれ本体心材を外皮で一体的に包んでなり、背もたれパッドは、軟質発泡ウレタンなどからなるブロック状のパッド本体を外皮で包んでなり、ヘッドレストは、板状の補強材と硬質発泡ウレタンなどからなるヘッドレスト心材および軟質発泡ウレタンなどからなるクッション材で構成された積層材を外皮で包んでなり、シートフレームは、その底面を板状の補強材で補強した厚板状の硬質発泡ウレタンなどからなるシートフレーム心材を外皮で一体的に包んでなり、シートクッションは、その底面を、シートフレームの凹部を囲むように切り抜いた額縁状の補強材で補強した、横断面が踏み台状の、軟質発泡ウレタンなどからなるクッション心材を外皮で包んでなることを特徴とする（請求項７）。ただし、パッド本体、ヘッドレストのクッション材およびシートクッションのクッション心材の素材は、軟質発泡ウレタンに限定するものではなく、合成ゴム、ウレタンゴム、ポリエチレン等樹脂系の発泡体の素材を用いてもいいことは当然である。
【００４６】
また、前記請求項１ないし７のいずれか１項に記載の福祉用椅子の背もたれおよび着座部において、背もたれ本体心材およびシートフレーム心材は、それぞれの凹部および補強材とともに、注入発泡による一体成型で同時成形されてなることを特徴とする（請求項８）。したがって、各構成部材は、全体として単純な構成で、注入発泡による一体成型もできるので、容易に製作でき、安価に、福祉用椅子の背もたれおよび着座部を提供できる。
【００４７】
また、前記請求項１ないし８のいずれか１項に記載の福祉用椅子の背もたれおよび着座部において、前記背もたれ本体および背もたれパッド、ヘッドレスト、シートクッションおよびシートフレームの外皮材料は、通気性と伸縮性を有し、このうち少なくともシートクッションの外皮材料は、抗菌および撥水加工をしてなるものとすることを特徴とする（請求項９）。したがって、背もたれパッド、ヘッドレスト、シートクッションおよびシートフレームの外皮材料は、通気性を有し、また、シートフレームと背もたれ本体の凹部と、該凹部に嵌り込んだ臀部下部（坐骨結節、尾骨、仙骨下部）と背中や腰部は、それぞれ隙間を形成しており、また、クッション心材、パッド本体、および、クッション材が、通気性を有する軟質発泡ウレタンからなり、これらとシートフレームの通気溝やシートクッションの抜き部とが一体となって煙突効果を発揮して換気し、支持部周辺の温度と湿度の上昇を効率的に抑えるので、皮膚の乾燥を保つことができる。また、伸縮性を有するので、当接部に、無用な反発力を発生させず、また、各部品を包むに容易である。
【００４８】
また、外皮材料は、抗菌および撥水加工をしてなるので、清拭も簡単で、清潔を保つ事ができる。したがって、脊柱の彎曲頂部や臀部下部（坐骨結節、尾骨、仙骨下部）に褥瘡を発症している場合も、皮膚が乾燥でき、前述のように同部位への圧迫が解消されるので、血行も改善し、症状の改善を図ることができる。なお、褥瘡を発症している部位が脊柱の彎曲頂部や臀部下部（坐骨結節、尾骨、仙骨下部）でない場合も、背もたれパッドやヘッドレストは着脱、位置変えが自在であるので、褥瘡部を避けて支持すれば同様の効果が得られる。
【００４９】
最後に、椅子用後付アタッチメントとしては、前記請求項１ないし９のいずれか１項に記載の福祉用椅子の背もたれおよび着座部を備えることを特徴とする（請求項１０）。これにより、シートフレーム支持板や支持板取り付けバンドなど数点の部品追加により、椅子用後付アタッチメントとして、既存の椅子にもそのまま取り付けできる。
【発明の効果】
【００５０】
以上、本発明によれば、脊柱や骨盤が湾曲したり、背中や臀部の筋肉や脂肪が落ちたり、既に褥瘡を発症したりした着座者が、心地よく安定して座り、休息することができ、長時間使用しても、痛みや褥瘡を発症させず、症状の改善ができ、しかも、着座者の動作性を損なわない、汎用性と経済性を備えた、福祉用椅子の背もたれおよび着座部、および、椅子用後付アタッチメントを提供することができる。
【発明を実施するための最良の形態】
【００５１】
図面に基づき、本発明の実施形態について述べる。まず、図１ないし図１０により、基本的な実施形態（１）について述べる。図１は、本発明の背もたれおよび着座部を福祉用椅子（起立補助椅子）に適用した実施形態（１）の側面断面図（Ａ）および正面部分断面図（Ｂ）、図２は、実施形態（１）の使用形態を示す斜視図、図３は、実施形態（１）の椅子本体の一般的な構成を示す側面図（Ａ）および正面図（Ｂ）、図４は、シートフレームの上面図（Ａ）およびＡ−Ａ断面矢視図（Ｂ）およびＢ−Ｂ断面矢視図（Ｃ）、図５は、シートクッションの上面図（Ａ）およびＡ−Ａ断面矢視図（Ｂ）およびＢ−Ｂ断面矢視図（Ｃ）、図６は、スペーサーの斜視図、図７は、背もたれ本体取り付けベルトの上面図、図８は、背もたれ本体の正面図（Ａ）およびＡ−Ａ断面矢視図（Ｂ）およびＢ−Ｂ断面矢視図（Ｃ）、図９は、背もたれパッドの斜視図、図１０は、ヘッドレストの正面図（Ａ）および横断面図（Ｂ）である。
【００５２】
図１、図２において、１は、実施形態（１）の福祉用椅子（起立補助椅子）、２は椅子本体、３は着座部、４はシートフレーム、５はシートクッション、６はスペーサー、７は背もたれ取り付けバンド、８は背もたれ、９は背もたれ本体、１０は背もたれパッド、１１はヘッドレストを示す。
【００５３】
本発明を適用した福祉用椅子（起立補助椅子）１は、図１、２に示すように、背もたれ８と着座部３および椅子本体２などからなるが、背もたれ８は、その前面に背中などがはまり込む十分大きく深い凹部９ｄを有する背もたれ本体９と背もたれパッド１０およびヘッドレスト１１からなり、該凹部９ｄの下方左右側部に取り付けた背もたれパッド１０と、背もたれ本体９上方に該本体を横断して取り付けたヘッドレスト１１は、着脱および位置変え自在である。着座部３は、その上面に、通気溝４ｅを備えてなる、臀部が嵌り込む十分大きく深い凹部４ｄを有するシートフレーム４と、前部が厚く後部が薄い、抜き部５ｂを有するシートクッション５からなり、シートクッション５は、前記シートフレーム４の上面に、着脱自在に載置してなる。また、背もたれ本体９は、その背面下方に、着脱、位置変え自在に取り付けたスペーサー６を挟み、背もたれ取り付けバンド７によって、椅子本体２の背もたれ支持板２ｆに、シートフレーム４は、シートフレーム支持板２ｄに、それぞれ着脱、位置変え自在に取り付け、背もたれの角度および着座部の位置は調整自在である。
【００５４】
なお、椅子本体２は、図３に示すように、ベース２ａ、駆動部２ｂ、リフト用コラム２ｃ、シートフレーム支持板２ｄ、背もたれ支持板２ｆおよび肘掛２ｇからなるが、シートフレーム支持板２ｄ、背もたれ支持板２ｆおよび肘掛２ｇは一体的に結合されており、駆動部２ｂによって、その高さ調整は自在である。また、シートフレーム支持板２ｄ上面の前部および後部には、シートフレーム４を位置変え自在に取り付けるために、十分な広さのマジックテープ（メス）２ｅが一体的に設けてある。
【００５５】
また、着座部３を構成するシートフレーム４は、図４に示すように、その上面に通気溝４ｅを備えてなる、臀部が嵌り込む十分大きく深い凹部４ｄを有し、その底面を板状の補強材４ａで補強した厚板状の硬質発泡ウレタンなどからなるシートフレーム心材４ｂを外皮４ｃで一体的（例えば接着による）に包んでなり、該シートフレーム心材は、前記凹部および補強材とともに、注入発泡による一体成型で同時成形されてなる。なお、外皮４ｃは、通気性と伸縮性を有し、抗菌および撥水加工を施した材料であることが望ましい。
【００５６】
また、凹部４ｄは、その上縁がシートフレーム４の後部に向って突き出す、凸字状を呈する凹部であり、かつ、上縁から底部に向ってすぼまり落ち込む凹部であり、臀部下部（坐骨結節、尾骨、仙骨下部）が、シートクッション５の一部とともにその底部や底部周辺に当接することなく嵌り込み、かつ、臀部上部（腸骨、仙骨上部）が前記シートクッションを挟み、該凹部の上縁に嵌り込んで当接する、十分大きく深い凹部である。なお、特に図示しないが、該凹部の上縁各辺は、嵌り込む臀部上部（腸骨、仙骨上部）に合わせて弧を描き、かつ、面取りが施されている。また、シートフレーム４の上面の前、後部には、シートクッション５を取り付けるために、前記凹部を挟んでマジックテープ（メス）４ｇを、下面の前、後部には、シートフレーム支持板２ｄに取り付けるためのマジックテープ（オス）４ｆを一体的に設けている。（なお、本発明は、材質的には硬質発泡ウレタンに限定するものではなく、製法も一体成型に限定するものではなく、切削や接着によっても構わないことは当然である）
【００５７】
シートクッション５は、図５に示すように、その底面をシートフレーム４の凹部４ｄを囲むように切り抜いた額縁状の補強材５ｅで補強した、前部が厚く後部が薄い、横断面が踏み台状の軟質発泡ウレタンからなるクッション心材５ａを、外皮５ｆで包んでなり、その下面の前、後部には、該シートクッションをシートフレーム４上面に取り付けるためのマジックテープ（オス）５ｈを一体的に設けている。また、前記クッション心材は、その略中央に抜き部５ｂを有するが、該抜き部は、クッション心材の上下面に貫通する抜き穴５ｃと該抜き穴に連続する抜き溝５ｄからなり、抜き穴は、着座姿勢において、坐骨結節および尾骨、仙骨下部を結んで出来る多角形を取り囲む穴であり、抜き溝は、前記抜き穴から該心材の対角外方に延びる溝である。なお、クッション心材５ａの材質は、軟質発泡ウレタンに限定するものではなく、合成ゴム、ウレタンゴム、ポリエチレン等樹脂系の発泡素材を用いてもいいことは当然であり、その成形は、型発泡やプレス加工、切断加工、接着加工などによる。また、外皮５ｆは、通気性と伸縮性を有し、抗菌および撥水加工を施した材料であることが望ましい。
【００５８】
また、スペーサー６は、図６に示すように、硬質発泡ウレタンなどからなる、断面が台形状のスペーサー心材６ａを外皮６ｂで一体的（例えば接着による）に包んでなり、その一面の両端に、背もたれ本体９に取り付けるためのマジックテープ（オス）６ｃを一体的に設けている。また、背もたれ取り付けバンド７は、図７に示すように、テープ７ａの両端に、背もたれ本体９を背もたれ支持板２ｆに取り付けるためのマジックテープ（メス）７ｂを一体的に設けてなる。
【００５９】
また、背もたれ８を構成する背もたれ本体９は、図８に示すように、その前面に、背中などが嵌り込む十分大きく深い凹部９ｄを有し、その背面を板状の補強材９ａで補強した厚板状の硬質発泡ウレタンなどからなる背もたれ本体心材９ｂを外皮９ｃ（図示せず）で一体的（例えば接着による）に包んでなり、該背もたれ本体心材は、前記凹部および補強材とともに、注入発泡による一体成型で同時成形されてなる。また、外皮９ｃは、通気性と伸縮性を有し、抗菌および撥水加工を施した材料であることが望ましい。
【００６０】
また、凹部９ｄは、その縦、横断面が、曲がった背中と腰部を模して台形または半楕円状を呈するとともに、背中や腰部が隙間を持って嵌り込むに十分な凹部であり、該凹部の下方左右側部には、背もたれパッド１０を取り付けるためのマジックテープ（メス）９ｅを、上方の両外縁には、ヘッドレスト１１を取り付けるためのマジックテープ（メス）９ｆを、それぞれ一体的に設けている。また、背もたれ本体９の左右両側面上下には、背もたれ取り付けバンド７に対応するマジックテープ（オス）９ｈを、背面下方両外縁には、スペーサー６を取り付けるためのマジックテープ（メス）９ｇを、それぞれ一体的に設けている。なお、マジックテープ（メス）９ｅ、９ｆ、９ｇは、スペーサー６、背もたれパッド１０およびヘッドレスト１１の位置変えを自在にするに十分な広さを有するものである。（なお、本発明は、材質的には硬質発泡ウレタンに限定するものではなく、製法も一体成型に限定するものではなく、切削や接着によっても構わないことは当然である）
【００６１】
また、背もたれパッド１０は、図９に示すように、軟質発泡ウレタンからなるブロック状のパッド本体１０ａを外皮１０ｂで一体的に包んでなり、その背部に、背もたれ本体９に取り付けるためのマジックテープ（オス）１０ｃを一体的に設けている。なお、パッドの数は、２個に限らず、必要に応じて、その数を増減する。一方、ヘッドレスト１１は、板状の補強材１１ｂと硬質発泡ウレタンなどからなるヘッドレスト心材１１ｃおよび軟質発泡ウレタンなどからなるクッション材１１ｄで構成された積層材１１ａを、外皮１１ｅで包んでなり、その背部に、背もたれ本体９に取り付けるためのマジックテープ（オス）１１ｆを一体的に設けている。なお、外皮１０ｂおよび１１ｅは、通気性と伸縮性を有し、抗菌および撥水加工を施した材料であることが望ましい。
【００６２】
次に、図１１ないし図１５により、実施形態（２）について述べる。図１１は、本発明の背もたれおよび着座部を、既存の起立補助椅子に適用した実施形態（２）の側面断面図（Ａ）および正面部分断面図、図１２は、実施形態（２）の使用形態を示す斜視図、図１３は、既存の起立補助椅子の一般的な構成を示す側面図（Ａ）および正面図（Ｂ）、図１４は、シートフレーム支持板の上面図（Ａ）および側面図（Ｂ）、図１５は、支持板取り付けベルトの上面図である。
【００６３】
図１１、図１２において、２１は、実施形態（２）の福祉用椅子（起立補助椅子）、２２は椅子本体、２２ｄはシート、２２ｆは背もたれ、２３はシートフレーム支持板、２４は支持板取り付けバンド、３は着座部、４はシートフレーム、５はシートクッション、６はスペーサー、７は背もたれ取り付けバンド、８は背もたれ、９は背もたれ本体、１０は背もたれパッド、１１はヘッドレストを示す。
【００６４】
本発明を適用した実施形態（２）の福祉用椅子（起立補助椅子）２１は、図１１に示すように、椅子本体２２と、椅子用後付アタッチメントとからなるが、該アタッチメントは、実施形態（１）の背もたれ８および着座部３そのものである。したがって、背もたれ本体９は、その間にスペーサー６を挟み、取り付けバンド７によって、椅子本体２２の背もたれ２２ｆに、シートフレーム４は、そのマジックテープによって、シートフレーム支持板２３に、それぞれ着脱、位置変え自在に取り付けるので、福祉用椅子（起立補助椅子）２１は、実施形態（１）の福祉用椅子（起立補助椅子）と同等の構成となる。
【００６５】
なお、椅子本体２２は、図１３に示す既存の起立補助椅子２２Ａのシート２２ｄの上面に載置した、シートフレーム支持板２３を、支持板取り付けバンド２４で、該シートに一体的に取り付けてなり、該シートフレーム支持板は、シートフレーム支持板２ｄと同じく、図１４に示すように、プレート２３ａの上面の前、後部に、マジックテープ（メス）２３ｂを一体的に設けてなり、該マジックテープ（メス）２３ｂは、シートフレーム４下面のマジックテープ（オス）に対応し、その位置変えを可能にするに十分な広さを有する。また、支持板取り付けバンド２４は、図１５に示すように、テープ２４ａの一端にマジックテープ（メス）２４ｂを、他端裏面にマジックテープ（オス）２４Ｂを一体的に設けてなる。したがって、背もたれ２２ｆが実施形態（１）の背もたれ支持板２ｆの、また、シート２２ｄとシートフレーム支持板２３とがシートフレーム支持板２ｄの機能を、それぞれ果たすので、椅子本体２２は、実施形態１の椅子本体２と同等の機能を有するものである。
【００６６】
また、既存の起立補助椅子２２Ａは、図１３に示すように、ベース２２ａ、駆動部２２ｂ、リフト用コラム２２ｃ、シート２２ｄ、背もたれ２２ｆおよび肘掛２２ｇからなり、シート２２ｄ、背もたれ２２ｆおよび肘掛２２ｇは一体的に結合されており、駆動部２２ｂによって、その高さ調整は自在である。
【００６７】
上記本発明によれば、脊柱や骨盤が湾曲したり、背中や臀部の筋肉や脂肪が落ちたり、既に褥瘡を発症したりした着座者が、心地よく安定して座り、休息することができ、長時間使用しても、痛みや褥瘡を発症させず、症状の改善ができ、しかも、着座者の動作性を損なわない、汎用性と経済性を備えた、福祉用椅子の背もたれおよび着座部、および、椅子用後付アタッチメントが得られる。これらの作用効果について、前記本発明の課題（１）〜（５）に関連付けて、以下に述べる。
【００６８】
先ず、課題（１）の「着座者が、心地よく、安定して座り、休息することができる」および、課題（２）の「長時間使用しても、痛みや褥瘡を発生させない」に関して述べる。脊柱や骨盤が湾曲したり、背中や臀部の筋肉や脂肪が落ちたり、既に褥瘡を発症させたりした着座者が、「心地よく、安定して座り、休息でき、かつ、長時間使用しても痛みや褥瘡を発症させない」為に、椅子は、着座者の体格や体形、着座姿勢に合わせて、大腿部や臀部、腰部、背部、首、頭の要所を、きちんと支持できるものであり、同時に、褥瘡の主たる発症原因である、皮膚環境（圧力、温度、湿度）を整えるものでなければならない。
【００６９】
本発明は、褥瘡を発症しやすい脊柱の湾曲頂部や臀部下部（坐骨結節、尾骨、仙骨下部）を守る為に、図２、図１２および図１６の斜線部で示すように、後頭部下部もしくは後頚部をヘッドレスト１１で、背部下方後側面と腰部後側面とを、もしくはそのどちらか一方を、背もたれパッド１０で、臀部上部（腸骨、仙骨上部）および大腿部を、シートフレーム４とシートクッション５とで支持して、支持部位にかかる圧力を分散、軽減し、かつ、各部品を位置変えして、同一部位への圧迫を短時間に止める。更に、通気層を形成して換気し、脊柱の湾曲頂部や臀部下部（坐骨結節、尾骨、仙骨下部）を含む支持部位周辺の温、湿度環境を整えるものである。
【００７０】
すなわち、本発明は、図１に示すように、背もたれ８と着座部３および椅子本体２などからなる椅子において、椅子本体は、ベース２a、シートフレーム支持板２ｄおよび背もたれ支持板２ｆなどからなり、背もたれ８は、その前面に、背中などが嵌り込む十分大きく深い凹部９ｄを有する背もたれ本体９と、背もたれパッド１０およびヘッドレスト１１からなり、該凹部の下方左右側部に取り付けた背もたれパッドと、背もたれ本体上方に該本体を横断して取り付けたヘッドレストは、着脱および位置変えが自在であり、着座部３は、その上面に、通気溝４ｅを備えてなる、臀部が嵌り込む十分大きく深い凹部４ｄを有するシートフレーム４と、前部が厚く後部が薄い、横断面が階段状の、抜き部５ｂを有するシートクッション５からなり、シートクッション５は、前記シートフレームの上面に着脱自在に載置してなる。また、背もたれ本体９は、その背面下方に、着脱、位置変え自在に取り付けたスペーサー６を挟み、背もたれ取り付けバンド７によって、背もたれ支持板２ｆに、シートフレーム４は、シートフレーム支持板２ｄに、マジックテープによって、それぞれ着脱自在に取り付けてなる。なお、特に図示しないが、背もたれパッドは、左右一対、２個に限るものではなく、必要に応じて増減し、また、シートフレームの凹部４ｄの上縁各辺は、嵌り込む臀部上部（腸骨、仙骨上部）に合わせて、軽い弧を描き、かつＲ面取りなどを施すことが望ましい。
【００７１】
なお、背もたれ本体９は、該背もたれ本体凹部９ｄの下方左右側部および上方の両外縁に、十分広いマジックテープ（メス）９ｅ、９ｆを、背もたれパッド１０およびヘッドレスト１１は、その背面にマジックテープ（オス）１０ｃ、１１ｆをそれぞれ有し、シートクッション５は、該シートクッション下面の前、後部に前記抜き部５ｂを挟んでマジックテープ（オス）５ｈを、シートフレーム４は、該シートフレーム上面の前、後部に前記凹部４ｄを挟んでマジックテープ（メス）４ｇを有し、これらマジックテープによって、それぞれ着脱が自在となっている。なお、マジックテープ（メス）９ｅ、９ｆが十分広いので、背もたれパッド１０およびヘッドレスト１１の位置変えは自在である。
【００７２】
また、背もたれ本体は、その左右両側面上下にマジックテープ（オス）９ｈを、背面下方両外縁に十分広いマジックテープ（メス）９ｇを有し、背もたれ取り付けバンド７は、その一面両端にマジックテープ（メス）７ｂを有してなり、スペーサーは、その背面にマジックテープ（オス）６ｃを有してなる。また、シートフレームは、その下面の前、後部にマジックテープ（オス）４ｆを有し、シートフレーム支持板はその上面の前、後部に、十分広いマジックテープ（メス）２ｅを有し、これらマジックテープによって、それぞれ着脱が自在である。また、マジックテープ（メス）２e、９ｇが十分広いので、スペーサーおよびシートフレームの位置変えが自在である。これらにより、体格や体形、着座姿勢に合わせて、構成部品の位置や背もたれの角度、着座部の位置を簡便に変えることができる。
【００７３】
かかる構成において、着座者の背中や腰部は、背もたれ本体の凹部９ｄに嵌り込むが、背もたれパッド１０は、背中や腰部と該凹部との間に隙間ができるように、背部下方後側面と腰部後側面とに、もしくはそのどちらか一方に、斜めから挟み込んで当接させ、前記凹部の下方左右側部にセットする。ヘッドレスト１１は、休息時に、着座者の後頭部下部もしくは後頚部を支持するように、背もたれ本体上方に該本体を横断してセットする。なお、圧迫されて褥瘡を発症しやすい脊柱の彎曲頂部は、前記凹部が十分大きく深いので、該凹部に当接することなく、隙間を空けて嵌り込む。また、着座者の臀部は、シートフレームの上面に載置されたシートクッションの後部を挟んでシートフレームの凹部４ｄに嵌り込み、大腿部は、同クッションの前部に載るが、臀部上部（腸骨、仙骨上部）は、シートクッション後部を挟んでシートフレームの凹部４ｄに嵌り込んでその上縁に当接する。なお、圧迫されて褥瘡を発症しやすい臀部下部（坐骨結節、尾骨、仙骨下部）は、凹部４ｄが十分大きく深いので、該凹部に当接することなく、隙間を空けて嵌り込む。
【００７４】
かくして、体圧は、背もたれパッドに当接する背部下方後側面と腰部後側面の両方か、もしくは、そのどちらか一方と、シートフレームの凹部上縁に当接する臀部上部（腸骨、仙骨上部）と、シートクッション前部に載る大腿部下面で受圧する。更に、休息時には、ヘッドレストに当接する後頭部下部もしくは後頚部も加えて受圧する。
【００７５】
なお、これら、体圧を受圧する支持部位は、平坦であり、体圧を分散して受圧するので、圧力は高くならず、しかも、同部位は、相対的に筋肉や脂肪が多く、圧迫の影響を受けにくい部位であるので、痛みや褥瘡の原因とならない。また、当然のことながら、脊柱の湾曲頂部始め、前記凹部に当接しない背中や腰部、臀部下部（坐骨結節、尾骨、仙骨下部）に、圧力は発生しない。また、背もたれパッドとヘッドレストは、着脱および位置変えが自在であるから、同一部位への圧迫が長時間に及ばぬよう、取り付け位置を変えることができ、着座者も、その着座姿勢を自由に変えることができる。また、背もたれの角度と着座部の位置は、着座者の体格や体形、着座姿勢に合わせて、簡便に変更できる。
【００７６】
また、背もたれ本体の凹部９ｄに嵌り込んだ背中や腰部は、背もたれパッド１０に当接した背部下方後側面と腰部後側面の両方か、もしくは、そのどちらか一方を、斜めから支持され、シートフレームの凹部４ｄに嵌り込んだ臀部は、該凹部上縁に当接した臀部上部（腸骨、仙骨上部）を支持され、シートクッション５の前部に載った大腿部は、その下面と両外側を支持されるので、着座者は、身体を前方や側方に押し出され、前後左右にローリングしたり、浅掛けになったりする、不安定な姿勢を強いられることはなく、安定した着座姿勢が得られる。また、ヘッドレストに後頭部下部もしくは後頚部を預け、もたれかかれば、上半身も更に安定し、心地よく休息することが出来る。また、背中や腰部と背もたれ本体凹部との間、および、臀部下部（坐骨結節、尾骨、仙骨下部）とシートフレーム凹部との間には隙間が形成されており、更に、通気溝４eなどが設けられており、これらが一体となって通気層を形成して換気するので、脊柱の湾曲頂部や臀部下部（坐骨結節、尾骨、仙骨下部）を含む前記支持部位周辺の温度や湿度の上昇を抑えることができる。よって、本発明になる背もたれおよび着座部は、心地よく、安定して座り、休息でき、かつ、長時間使用しても痛みや褥瘡を発症させない。
【００７７】
次に、課題（３）の「症状の改善ができる」に関して述べる。着座者の「症状の改善ができる」為には、椅子そのものが、望ましくない体形や褥瘡の発症原因を取り除いたものであり、既に発症した褥瘡の治癒を図れるものでなければならない。すなわち、椅子は、着座者に無理な姿勢を強制せず、皮膚にかかる圧力を可能な限り小さく、短時間に止め、皮膚を乾燥させ、清潔に保て、既に褥瘡が発症している場合は、その部位を避け、発症しにくい部位を支持できることが大事である。そのために、背もたれや着座部は、着座者の体格や体形、着座姿勢や褥瘡の発症部位に応じて、その構成部品の位置変えができ、しかも、支持部への圧力の分散、軽減ができ、同時に、支持部周辺の温度と湿度の上昇を抑えられ、しかも、清拭できることが大事である。
【００７８】
本発明は、上記課題解決の為に、課題（１）および（２）の項で述べた特徴に加え、以下の特徴を持つ。すなわち、背もたれ本体の凹部９ｄは、図８に示すように、その縦、横断面が、曲がった背中と腰部を模して台形または半楕円状を呈し、背部下方後側面および腰部後側面を、背もたれパッド１０で、斜めから差し込むように支持された背中や腰部が、隙間を空けて嵌り込むに十分な凹部である。
【００７９】
また、シートフレーム上面の、通気溝４ｅを備えてなる凹部４ｄは、図４に示すように、該シートフレームの後部に向って突き出す凸字状を呈し、その外縁から底部に向ってすぼまり落ち込む凹部であり、臀部下部（坐骨結節、尾骨、仙骨下部）が、シートクッション５の一部とともに、その底部や底部周辺に当接することなく嵌り込み、かつ、臀部上部（腸骨と仙骨上部）が該シートクッションを挟み、該凹部の上縁に嵌り込んで当接するに十分な凹部であり、前記シートクッションの抜き部５ｂは、図５に示すように、クッション心材５ａの上下面に貫通する抜き穴５ｃと該抜き穴に連続する抜き溝５ｄからなり、抜き穴５ｃは着座姿勢において、坐骨結節と尾骨および仙骨下部を結んで出来る多角形を取り囲む穴であり、抜き溝５ｄは前記抜き穴から該心材の対角外方に伸びる溝である。
【００８０】
また、背もたれ本体９、背もたれパッド１０、ヘッドレスト１１、シートクッション５およびシートフレーム４の外皮材料は通気性と伸縮性を有し、このうち少なくともシートクッションの外皮材料は、抗菌および撥水加工をしてなる。
【００８１】
したがって、褥瘡を発症しやすい脊柱の彎曲頂部は、背部下方後側面と腰部後側面の両方か、もしくは、そのどちらか一方を、背もたれパッド１０に支えられ、背もたれ本体の凹部９ｄに当接することなく、隙間を空けて嵌り込むので、図１７で示した場合のように、背もたれによって押されることはなく、すべり座りなど、望ましくない姿勢を強いられることも、圧力を集中的に受けることもない。また、褥瘡を発症しやすい臀部下部（坐骨結節、尾骨、仙骨下部）は、シートクッションの抜き穴５ｃが、坐骨結節と尾骨および仙骨下部を結んで出来る多角形を取り囲む穴であるから、クッション心材５aに当接することはなく、しかも、外皮５ｆが伸縮性を有し、抜き溝５ｄが、抜き部周辺の変形抵抗を減ずるので、着座位置を少々変えても、集中的に高い圧力を受けることはない。
【００８２】
なお、背もたれ本体の凹部９ｄは、その縦、横断面が、曲がった背中と腰部を模して台形または半楕円状を呈するので、体格や体形が異なっても、背もたれパッドやヘッドレストを、着座者の背部下方後側面や腰部後側面に当接させ易く、位置変えし易い。また、シートフレーム上面の凹部４ｄは、外縁から底部に向ってすぼまり落ち込む凹部であるので、体格や体形が異なっても、問題なく嵌り込んで当接するので、着座者に無理な姿勢を強いることはない。
しかも、先に述べたように、構成部品は着脱、位置変え自在であるので、着座姿勢や支持位置を頻繁に変え、同一部位への圧迫を短時間に止める事ができる。
【００８３】
また、シートフレームと背もたれ本体の凹部４ｄ、９ｄと、該凹部に嵌り込んだ臀部下部（坐骨結節、尾骨、仙骨下部）と背中や腰部は、それぞれ隙間を形成しており、また、背もたれ本体、背もたれパッド、ヘッドレスト、シートクッションおよびシートフレームの外皮材料が通気性を有するとともに、クッション心材５a、パッド本体１０a、および、クッション材１１ｄが、通気性を有する軟質発泡ウレタンからなり、これらと通気溝４e、抜き部５ｂとが一体となって煙突効果を発揮して換気し、支持部周辺の温度と湿度の上昇を効率的に抑えるので、皮膚の乾燥を保つことができる。また、伸縮性を有するので、当接部に、無用な反発力を発生させず、また、各部品を包むに容易である。また、外皮材料は、抗菌および撥水加工をしてなるので、清拭も簡単で、清潔を保つ事ができる。
【００８４】
したがって、脊柱の彎曲頂部や臀部下部（坐骨結節、尾骨、仙骨下部）に褥瘡を発症している場合も、同部位への圧迫が解消されるので、血行が改善し、皮膚も乾燥できるので、症状の改善を図ることができる。なお、褥瘡を発症している部位が脊柱の彎曲頂部や臀部下部（坐骨結節、尾骨、仙骨下部）でない場合も、背もたれパッドやヘッドレストは着脱、位置変えが自在であるので、褥瘡部を避けて支持すれば同様の効果が得られる。よって、本発明になる背もたれおよび着座部は、望ましくない体形や褥瘡の原因を回避でき、着座者の症状の改善ができる。
【００８５】
次に、課題（４）の「着座者の動作性を損なわない」に関して述べる。「着座者の動作性を損なわない」為には、着座者が姿勢を自由に変えられるように、無用な拘束をしないことが大事である。本発明においては、湾曲した背中は、背もたれ本体の凹部９ｄに嵌り込むので、背中が背もたれによって前のめりに押され、内臓を圧迫されるようなことは無く、背筋も伸ばせる。また、背もたれパッド１０は、背部下方後側面や腰部後側面を斜めから支持するので、腕や肩が束縛されず、上半身の自由度は高い。また、シートクッション５の抜き穴５ｃは坐骨結節と尾骨および仙骨下部を結んで出来る多角形を取り囲む穴であるから、臀部下部（坐骨結節、尾骨、仙骨下部）がクッション心材５aに当接することはなく、しかも、外皮５ｆが伸縮性を有し、抜き溝５ｄが、クッション心材の抜き部周辺の変形抵抗を減ずるので、着座位置を少々変えても、臀部下部（坐骨結節、尾骨、仙骨下部）に集中的な圧力は発生せず、臀部の位置変えは自由である。よって、本発明になる背もたれおよび着座部は、着座者の動作性を損なわない。
【００８６】
最後に、課題（５）の「汎用性と経済性を備える」に関して述べる。「汎用性と経済性を備える」為には、背もたれや着座部は、多様な体格、体形、着座姿勢に対応でき、既存の椅子に適用でき、しかも、耐久性があり、安価であることが大事である。その為には、背もたれ角度や着座部の位置および各部品の取り付け位置が簡便に変更でき、しかも、既存の椅子にもそのまま取り付けでき、かつ、損耗部品の交換も容易であることが大事であり、また、部品構造が単純で、安価に製作できることが大事である。
【００８７】
本発明において、各構成部品は、先に述べた如く、それぞれ着脱、位置変えが自在であるので、背もたれ８の背もたれ角度や着座部３の位置、および各部品の取り付け位置は、着座者の体格や体形、着座姿勢に合わせて、簡便に変更できる。また、図１１、１２の如く、シートフレーム支持板２３や支持板取り付けバンド２４など、数点の部品追加により、椅子用後付アタッチメントとして、既存の椅子にもそのまま取り付けできる。また、相対的に損耗し易いヘッドレスト１１、背もたれパッド１０およびシートクッション５は、着脱自在であるので、それだけ取り替えれば全体として長期間使用でき、耐久性を得られる。また、各構成部品は、単純な構造であり（例えば、背もたれ本体９は、その背面を板状の補強材９aで補強した、前面に凹部９ｄを有する硬質発泡ウレタンなどからなる厚板状の背もたれ本体心材９ｂを、外皮９ｃで一体的に包んでなるが、背もたれ本体心材は、凹部および補強材とともに、注入発泡による一体成型で同時成形できる）、安価に製作できる。よって、本発明になる背もたれおよび着座部は、汎用性と経済性を備える。
【図面の簡単な説明】
【００８８】
【図１】本発明の背もたれおよび着座部を起立補助椅子に適用した実施形態（１）の側面断面図（A）および正面部分断面図（B）
【図２】実施形態（１）の使用形態を示す斜視図
【図３】実施形態（１）の椅子本体の一般的な構成を示す側面図（A）および正面図（B）
【図４】シートフレームの上面図（A）およびA−A断面矢視図（B）およびB−B断面矢視図（Ｃ）
【図５】シートクッションの上面図（A）およびA−A断面矢視図（B）およびB−B断面矢視図（Ｃ）
【図６】スペーサーの斜視図
【図７】背もたれ本体取り付けベルトの上面図
【図８】背もたれ本体の正面図（A）およびA−A断面矢視図（B）およびB−B断面矢視図（Ｃ）
【図９】背もたれパッドの斜視図
【図１０】ヘッドレストの正面図（A）および横断面図（B）
【図１１】本発明の背もたれおよび着座部を既存の起立補助椅子に適用した実施形態（２）の側面断面図（A）および正面部分断面図（B）
【図１２】実施形態（２）の使用形態を示す斜視図
【図１３】既存の起立補助椅子の一般的な構成を示す側面図（A）および正面図（B）
【図１４】シートフレーム支持板の上面図（A）および側面図（B）
【図１５】支持板取り付けベルトの上面図
【図１６】本発明の背もたれおよび着座部が支持する身体の部位を示す図
【図１７】既存の起立補助椅子の使用形態を示す斜視図
【図１８】骨盤の前面図
【図１９】望ましくない座り方を示す図
【図２０】特許文献１に開示された車椅子の座部に用いた座クッションの斜視図。
【図２１】図２０に示す座クッションの左半分の分解図。
【図２２】特許文献２に開示された座位保持クッションの要部斜視図。
【図２３】特許文献３に開示されたクッション材の断面図
【図２４】特許文献４に開示された座椅子上に設けたクッションシートの斜視図。
【図２５】特許文献５に開示されたシートクッションの説明図。
【図２６】特許文献６に開示された褥創予防マットの構成を示す斜視図。
【図２７】特許文献７に開示された座部システムの斜視図。
【図２８】特許文献８に開示された椅子用クッションの実施形態に関わる構成図。
【符号の説明】
【００８９】
１  福祉用椅子（起立補助椅子）
２  椅子本体
２ａ  ベース
２ｂ  駆動部
２ｃ  リフト用コラム
２ｄ  シートフレーム支持板
２ｅ  マジックテープ（メス）
２ｆ  背もたれ支持板
２ｇ  肘掛
３  着座部
４  シートフレーム
４ａ  補強材
４ｂ  シートフレーム心材
４ｃ  外皮
４ｄ  凹部
４ｅ  通気溝
４ｆ  マジックテープ（オス）
４ｇ  マジックテープ（メス）
５  シートクッション
５ａ  クッション心材
５ｂ  抜き部
５ｃ  抜き穴
５ｄ  抜き溝
５ｅ  補強材
５ｆ  外皮
５ｇ  空間
５ｈ  マジックテープ（オス）
６  スペーサー
６ａ  スペーサー心材
６ｂ  外皮
６ｃ  マジックテープ（オス）
７  背もたれ取り付けバンド
７ａ  テープ
７ｂ  マジックテープ（メス）
８  背もたれ
９  背もたれ本体
９ａ  補強材
９ｂ  背もたれ本体心材
９ｃ  外皮
９ｄ  凹部
９ｅ  マジックテープ（メス）
９ｆ  マジックテープ（メス）
９ｇ  マジックテープ（メス）
９ｈ  マジックテープ（オス）
１０  背もたれパッド
１０ａ  パッド本体
１０ｂ  外皮
１０ｃ  マジックテープ（オス）
１１  ヘッドレスト
１１ａ  積層材
１１ｂ  補強材
１１ｃ  ヘッドレスト心材
１１ｄ  クッション材
１１ｅ  外皮
１１ｆ  マジックテープ（オス）
２１  福祉用椅子（起立補助椅子）
２２  椅子本体
２２Ａ  既存の起立補助椅子
２２ａ  ベース
２２ｂ  駆動部
２２ｃ  リフト用コラム
２２ｄ  シート
２２ｆ  背もたれ
２２ｇ  肘掛
２３  シートフレーム支持板
２３ａ  プレート
２３ｂ  マジックテープ（メス）
２４  支持板取り付けバンド
２４ａ  テープ
２４ｂ  マジックテープ（オス、メス）
【図１】
2008110096.tif 000003
【図２】
2008110096.tif 000004
【図３】
2008110096.tif 000005
【図４】
2008110096.tif 000006
【図５】
2008110096.tif 000007
【図６】
2008110096.tif 000008
【図７】
2008110096.tif 000009
【図８】
2008110096.tif 000010
【図９】
2008110096.tif 000011
【図１０】
2008110096.tif 000012
【図１１】
2008110096.tif 000013
【図１２】
2008110096.tif 000014
【図１３】
2008110096.tif 000015
【図１４】
2008110096.tif 000016
【図１５】
2008110096.tif 000017
【図１６】
2008110096.tif 000018
【図１７】
2008110096.tif 000019
【図１８】
2008110096.tif 000020
【図１９】
2008110096.tif 000021
【図２０】
2008110096.tif 000022
【図２１】
2008110096.tif 000023
【図２２】
2008110096.tif 000024
【図２３】
2008110096.tif 000025
【図２４】
2008110096.tif 000026
【図２５】
2008110096.tif 000027
【図２６】
2008110096.tif 000028
【図２７】
2008110096.tif 000029
【図２８】
2008110096.tif 000030